(57)【要約】本発明はスルーホールに金属を充填するための電気処理に関する。この処理は、プリント基板のスルーホールに銅を充填するのに特に好適である。この方法は、下記工程、すなわち、（ｉ）電気めっきによってスルーホールの中央部に狭い部分を形成する工程と、（ｉｉ）工程（ｉ）で得られたスルーホールに電気めっきによって金属を充填する工程とを含んでなる。【選択図】なし
2008513985.tif 000002
【特許請求の範囲】
【請求項１】
ワークピースのスルーホールに金属を充填するための電気処理であって、下記工程、すなわち、
（ｉ）スルーホールを有するワークピースを金属沈着電解質に接触させ、前記ワークピースと少なくとも１つのアノードとの間に電圧を印加することによって前記ワークピースに電流を印加する工程であって、前記電流を図１に示されるように好ましい沈着が前記スルーホールの中央部に生じるように選択することによって前記スルーホールの中央部を完全にまたはほぼ完全に埋める工程と、
（ｉｉ）前記ワークピースを金属沈着電解質に接触させ、前記ワークピースと少なくとも１つのアノードとの間に電圧を印加することによって前記ワークピースに電流を供給する工程であって、工程（ｉ）で得られた完全にまたはほぼ完全に二つに分けられたスルーホールに図２のように金属を充填する工程と、
を含んでなる前記電気処理。
【請求項２】
前記工程（ｉ）における電流はパルス逆電流であり、前記電流の各サイクルにおいて、少なくとも１つの順方向電流パルスと少なくとも１つの逆方向電流パルスとが生じ、そして前記工程（ｉｉ）における電流はパルス逆電流、直流または交流である、請求項１に記載の処理。
【請求項３】
前記メタライゼーション工程（ｉ）および（ｉｉ）は異なる電解質中で行われる、請求項１に記載の処理。
【請求項４】
前記メタライゼーション工程（ｉ）および（ｉｉ）は同じ電解質中で行われる、請求項１に記載の処理。
【請求項５】
前記少なくとも１つの逆方向電流パルスの継続時間に対する前記少なくとも１つの順方向電流パルスの継続時間の比を、５〜７５、最も好ましくは約２０に設定する、請求項１ないし４のいずれかに記載の処理。
【請求項６】
前記少なくとも１つの順方向電流パルスの継続時間を、５〜２５０ｍｓに設定する、請求項１ないし５のいずれかに記載の処理。
【請求項７】
前記少なくとも１つの逆方向電流パルスの継続時間を、好ましくは２０ｍｓ以下、最も好ましくは１〜１０ｍｓに設定する、請求項１ないし６のいずれかに記載の処理。
【請求項８】
前記ワークピースにおける前記少なくとも１つの順方向電流パルスのピーク電流密度を、好ましくは１５Ａ／ｄｍ２以下、水平処理の場合最も好ましくは１．５〜８Ａ／ｄｍ２、垂直処理の場合最も好ましくは２Ａ／ｄｍ２に設定する、請求項１ないし７のいずれかに記載の処理。
【請求項９】
前記ワークピースにおける前記少なくとも１つの逆方向電流パルスのピーク電流密度を、好ましくは６０Ａ／ｄｍ２以下、水平処理の場合最も好ましくは３０〜５０Ａ／ｄｍ２、垂直処理の場合最も好ましくは３〜１０Ａ／ｄｍ２に設定する、請求項１ないし８のいずれかに記載の処理。
【請求項１０】
前記ワークピースの第１面と少なくとも第１アノードとの間に第１電圧を印加することによって第１パルス逆電流が前記ワークピースの第１面に供給され、この第１パルス逆電流の各サイクルにおいて、少なくとも第１順方向電流パルスと少なくとも第１逆方向電流パルスとが流れ、
前記ワークピースの第２面と少なくとも第２アノードとの間に第２電圧を印加することによって第２パルス逆電流が前記ワークピースの第２側面に供給され、この第２パルス逆電流の各サイクルにおいて、少なくとも第２順方向電流パルスと少なくとも第２逆方向電流パルスとが流れる、請求項１ないし９のいずれかに記載の処理。
【請求項１１】
前記第１電流パルスは、前記第２電流パルスに対して約１８０°のオフセットである、請求項１０に記載の処理。
【請求項１２】
電解質として硫酸銅電解質が用いられる、請求項１ないし１１のいずれかに記載の処理。
【請求項１３】
前記電解質は、１５〜７５ｇ／Ｌの銅と、２０〜４００ｇ／Ｌの硫酸と、２０〜２００ｍｇ／Ｌの塩化物とを含有する無機基質を含んでなる、請求項１に記載の処理。
【請求項１４】
前記電解質は、増白剤、レべリング剤および湿潤剤のごとき有機添加剤をさらに含んでなる、請求項１３に記載の処理。
【請求項１５】
前記電解質は、レドックス系を用いた不活性アノードを用いて運転される、請求項１ないし１４のいずれかに記載の処理。
【請求項１６】
電解質として硫酸銅電解質が用いられ、アノードとして可溶性アノードが用いられる、請求項１ないし１５のいずれかに記載の処理。
【請求項１７】
前記スルーホールの最大深さは３．５ｍｍであり、好ましい深さは０．０２５〜１ｍｍ、特に好ましい深さは０．０５〜０．５ｍｍである、請求項１ないし１６のいずれかに記載の処理。
【請求項１８】
前記スルーホールの直径は１，０００μｍ以下、好ましくは３０〜３００μｍ、最も好ましくは６０〜１５０μｍである、請求項１ないし１７のいずれかに記載の処理。
【請求項１９】
前記ワークピースは板状であり、かつ、スルーホールを有する、請求項１ないし１８のいずれかに記載の処理。
【請求項２０】
前記ワークピースはプリント基板または任意の他の板状電気回路基体である、請求項１ないし１９のいずれかに記載の処理。
【発明の詳細な説明】
【技術分野】
【０００１】
本発明は、スルーホールに金属を充填するための電気処理に関する。この処理は、プリント基板のスルーホールに銅を充填するのに特に好適である。この処理は、小径のホールにさえも耐久性のある充填を施すことができ、スルーホール内の好ましからざる異物混入が回避される。さらに、前記充填物は、非常に良好な熱伝導率を示す。
【背景技術】
【０００２】
電子部品の小型化がますます勢いを増す一方で、集積密度も増加している。プリント基板の場合、小型化の傾向は、下記構造パラメーター、すわなち、パッドの直径および導体の幅／導体の空隙の減少ならびに積層の改良および層の数の増加に反映されている（Ｄｅｒ  ｅｕｒｏｐａｉｓｃｈｅ  Ｔｅｃｈｎｏｌｏｇｉｅ  −  ｕｎｄ  Ｔｒｅｎｄｂｅｒｉｃｈｔ  ２００１／２００２  ｕｂｅｒ  Ｌｅｉｔｅｒｐｌａｔｔｅｎ  ｍｉｔ  ｈｏｈｅｎ  ｉｎｔｅｇｒａｔｉｏｎｓｄｉｃｈｔｅｎ（Ｔｈｅ  Ｅｕｒｏｐｅａｎ  Ｔｅｃｈｎｏｌｏｇｙ  ａｎｄ  Ｔｒｅｎｄ  Ｒｅｐｏｒｔ  ２００１／２００２  Ｃｏｎｃｅｒｎｉｎｇ  Ｐｒｉｎｔｅｄ  Ｃｉｒｃｕｉｔ  Ｂｏａｒｄｓ  ｗｉｔｈ  Ｈｉｇｈ  Ｉｎｔｅｇｒａｔｉｏｎ  Ｄｅｎｄｉｔｉｔｉｓ）を参照）。
これらの性質を有するプリント基板は、一般に、集積密度の高いプリント基板(いわゆるビルドアップ基板またはＨＤＩ）と呼ばれる。
プリント基板製造におけるそのようなＨＤＩ回路についての重要な側面は、スルーホール（いわゆるビアホール）の充填である。スルーホールの充填は、プロセス制御に非常に高い要求を課す。非常に異なる種類のドリルホールを考慮に入れなければならず、充填材についての様々な要件が満たされなければならず、続くプリント基板の作業工程を考慮に入れなければならない。
本発明の主な焦点は、プリント基板全体にわたるスルーホールの充填（めっきスルーホール、ＰＴＨ）および内部ビアホール（埋設ビアホール）の充填である。
原則として、前記処理は、最も困難なワークピース、とりわけスルーホールを備えた板状ワークピースおよび板状電気回路基体のスルーホールに充填を施すのに好適である。
【０００３】
スルーホールの封止において、高い集積密度を得るため、および電気的性質を向上させるためにはんだが部品上へ付かないようにすることがとりわけ重要である。多層プリント基板の場合、次に積み重ねられる層を積層している最中にホールへの（空気、溶媒などの）混入が生じることがあり、後に熱ストレスがかかった場合に、次の層にふくらみを生じ、その結果亀裂を生じさせることがある。
従って、スルーホールのための充填材は以下の要求を充たす必要がある。
−  溶媒を含有しないこと
−  スリーブおよびソルダレジストに対して良好な接着性を示すこと
−  後の工程（例えば、ニッケル、金またはスズによる電気メタライゼーション）におけるプロセス薬品に対する耐性があること
−  熱レベリング工程に対する耐性があること
【０００４】
従来技術では、スルーホールに充填を施すための様々な処理が知られている。
最も単純なケースでは、ホールに専用のソルダレジストを充填する。それらには、高集積密度の場合、必然的にリベットヘッドのように突き出るビア充填材によって分解能が損なわれることは全く無いという利点がある。しかしながら、問題なのは、混入した溶媒が、スズめっきのごときその後の処理工程において突然気化してカバーを破ってしまう可能性があるということである。
しかしながら、この処理は、内層のスルーホールを封止するのには向いていない。この場合、前記内層は、不純物の混入を避けるために、完全に封止されていなければならない。
この処理には、プラギングが広く用いられている。なぜならば、この処理を用いて、充填されたスルーホールを銅めっきすることによって、全く制限無く構築することができる内層を作ることができるからである。
充填材としては、樹脂でコーティングされた銅箔（ＲＣＣ）または光誘電性液体またはドライフィルムのごとき各種誘電体が用いられる。
【０００５】
ＥＰ  ０  ６４５  ９５０  Ｂ１には、多層回路基板を製造するための方法が記載されている。スルーホールの充填材としては、フェノール樹脂およびエポキシ樹脂からなる群から選択される熱硬化性樹脂が用いられる。さらに、導電性物質として、銀、ニッケル、銅およびそれらの合金からなる群から選択される少なくとも１種の金属粉末が前記樹脂に添加される。
【０００６】
一般に、プラギングは、プリント基板にドリルで穴を開け、ドリルホールのメタライゼーションをした後、組み立ての前に行われる。ビアホールが充填され、プラギングペーストが硬化した後、ペースト硬化物は充填処理によってわずかなリベットヘッドを示すため、機械的に平坦化されることになる。多くの場合、続いて銅による前記ペーストのメタライゼーションが行われ、連続した銅層が最終層として形成される。簡単に言えば、下記工程が必要である。
−  ドリル穿孔    
−  スリーブのメタライゼーション
−  プラギング
−  ブラシ掛け、研削
−  プラギングペーストのメタライゼーション
−  次層のビルドアップ層の積層
【０００７】
ＥＰ  １  １９４  ０２３  Ａ１には、スルーホールに導電性ペーストを充填することによってＨＤＩプリント基板を製造することが記載されている。この場合、ペーストの硬化は、基礎材料の成形と同時に行うことができ、その結果として、内層の導通が得られる。
しかしながら、前記方法は、多大な費用を必要とし、ＨＤＩプリント基板の製造における加工費を大きく増加させる原因となる。さらに、プリント基板上のレイアウト毎に、異なるプリントマスクを使用しなければならない。従って、前記方法は汎用されていない。
【０００８】
プリント基板のドリルホールの直径が大きく異なる場合、プリント法は難しい。
【発明の開示】
【発明が解決しようとする課題】
【０００９】
従って、本発明の目的は、前記問題点を解決する処理を開発し、かつ、ワークピースのスルーホールに、異物をほぼ全く残すこと無く、確実に充填を施すための単純な処理を提供することである。前記処理は、とりわけ、プリント基板のスルーホールに銅を充填するのに用いることができる。
【００１０】
本発明のさらなる目的は、電解メタライゼーションにおいて高い性能を実現することである。この場合、これは、一方では、作業時間を短くするためにプリント基板の電解メタライゼーション中の電流密度をできるだけ高くし、他方では、プリント基板の表面に沈着する金属の量をできるだけ少なくするということを意味する。
【課題を解決するための手段】
【００１１】
前記目的は、ワークピースのスルーホールに金属を充填するための本発明の処理を用いることによって達成される、前記処理は、下記工程、すなわち、
（ｉ）スルーホールを有するワークピースを金属沈着電解質に接触させ、前記ワークピースと少なくとも１つのアノードとの間に電圧を印加することによって前記ワークピースに電流を供給する工程であって、前記電流を図１に示されるように好ましい沈着が前記スルーホールの中央部に生じるように選択することによって前記スルーホールの中央部を完全にまたはほぼ完全に埋める工程と、
（ｉｉ）前記ワークピースを金属沈着電解質に接触させ、前記ワークピースと少なくとも１つのアノードとの間に電圧を印加することによって前記ワークピースに電流を供給する工程であって、工程（ｉ）で得られた完全にまたはほぼ完全に二つに分けられたスルーホールに図２のように所望の量まで金属を充填する工程と、
を含んでなる。
【発明を実施するための最良の形態】
【００１２】
本発明の２段階処理を用いることによって、スルーホールに純粋な金属層を充填することが初めてできるようになった。これに対し、ペースト（大半が導電性）を用いる従来の充填処理によると、必要とされる耐久性および所望される性質を備えた緻密な金属層の製造は不可能であると考えられている。
例えばプリント基板のホールのメタライゼーションの場合、従来法によると、初期段階ではホールの両端部と中央部に、ほぼ同一の分配状態が見られる。金属沈着が進むと、アスペクト比が変化し、ドリルホール内への分配が減少する。これにより、ドリルホールの両端部での金属沈着が増加し、ドリルホールの内部が金属で充填される前に両端部が塞がれてしまう。その結果、好ましからざる混入物、とりわけメタライゼーション浴の残留物がホール内に残ることになる。
【００１３】
本発明は、特殊な沈着技術の第１工程において、スルーホールの中央部を完全にまたはほぼ完全に埋めることによってスルーホールから２つのホールを作り出すというアイデアに基づいている。前記２つのホールは、それぞれ、スルーホールの中央部に近いところで一端が閉止されている（図１参照）。スルーホールの中央部分の沈着物の形状は、図１ａに示されるようなＶ型でもよいし、丸みを帯びた狭い部分を有する形状でもよい（図１ｂ参照）。この沈着物の形状は、スルーホールの中央部において沈着量を増大することにより実現することができ、この場所でスルーホールの端部に比べてより多くの金属沈着が観察される。
【００１４】
本発明を適用するのに好ましい分野であるプリント基板の製造において、これらのホールは、ブラインドホールまたはブラインドビアホールとも呼ばれる。第２メタライゼーション工程では、このように作成されたブラインドビアホールに金属を充填する（図２参照）。
【００１５】
ブラインドビアホールに充填を施すための処理は従来技術において実質的に公知であり、記載されている。
ＥＰ  １  ２６４  ９１８  Ａ１には、マイクロブラインドビアホールに充填を施すのに特に好適である電気銅沈着処理が記載されている。この処理では、空電解相における不活性アノードの使用が、電解質の充填性を維持および改善するのに役立つ。
ＥＰ  １  ２１９  ７２９  Ａ１によれば、ホルムアルデヒドのごとき化学物質や、酸化剤を用いることによって、メタライゼーション浴が安定している期間を伸ばす。これは、マイクロブラインドビアホールに充填を施すのに特に好適である。添加剤として、スルホン酸基を有する硫黄含有物質およびチオール反応性化合物が用いられる。
【００１６】
ＤＥ  １０３  ２５  １０１には、
（ｉ）金属塩、酸および有機添加剤を含んでなる金属被膜で電気めっきするための電解質浴であって、前記浴は、１５〜６０ｇ／Ｌの銅と、４０〜３００ｇ／Ｌの硫酸と、２０〜１５０ｍｇ／Ｌの塩化物とを含んでなる無機基質を含有し、そして前記有機添加剤は、増白剤、湿潤剤ならびにポリアミド、ポリアミン、ラクタムアルコキシレート、チオウレア、オリゴマーおよびポリマーフェナンゾニウム誘導体ならびにアミノ−トリフェニルメタン染料から選択されるさらなる添加剤を含んでなる、ことを特徴とする浴を用いて、
（ｉｉ）前記浴を、電流密度０．５〜２．５Ａ／ｄｍ２の直流または実効電流密度０．５〜１０Ａ／ｄｍ２の電流パルスで運転し、
（ｉｉｉ）前記電解質の一部を前記電気浴から回収し、
（ｉｖ）前記回収された部分に酸化剤を添加し、
（ｖ）任意に、前記回収された電解質に紫外線を照射し、そして
（ｖｉ）前記回収された部分を前記電気浴に戻し、酸化処理によって破壊された有機添加剤を補完する、
マイクロブラインドビアホールに充填を施すための処理が記載されている。
【００１７】
本発明の好ましい実施態様において、本発明の処理は、プリント基板の最大深さ３．５ｍｍ、好ましくは０．０２５〜１ｍｍの深さ、特に好ましくは０．０５〜０．５ｍｍの深さであり、直径１，０００μｍ以下、好ましくは３０〜３００μｍ、最も好ましくは６０〜１５０μｍの直径のスルーホールを充填する。
【００１８】
ワークピースのスルーホールに金属を充填するための本発明の処理では、原理的には電気金属沈着に好適なあらゆる電解質、例えば金、スズ、ニッケルまたはそれらの合金を沈着させるための電解質を用いることができる。好ましい金属は銅である。
銅沈着については、下記組成を有する電解質が最良の結果を与えた。
銅は、硫酸銅五水和物（ＣｕＳＯ４×５Ｈ２Ｏ）または硫酸銅溶液として電解質に添加することができる。その稼動範囲は、１５〜７５ｇ／Ｌである。
硫酸（Ｈ２ＳＯ４）は、５０〜９６％溶液として添加される。その稼動範囲は、２０〜４００ｇ／Ｌ、好ましくは５０〜３００ｇ／Ｌである。
塩化物は、塩化ナトリウム（ＮａＣｌ）または塩酸溶液（ＨＣｌ）として添加される。ここでは、塩化物の稼動範囲は、２０〜２００ｍｇ／Ｌ、好ましくは３０〜６０ｍｇ／Ｌである。
さらに、電解質は、有機添加物として、増白剤、レベリング剤および湿潤剤を含んでなることが好ましい。
【００１９】
一般に、湿潤剤は、濃度が０．００５〜２０ｇ／Ｌ、好ましくは０．０１〜５ｇ／Ｌである酸素含有高分子化合物である。例を表１に示す。
【００２０】
【表１】
2008513985.tif 000003
【００２１】
一般に、増白剤としては、表２に示される硫黄含有物質が用いられる。
【００２２】
【表２】
2008513985.tif 000004
【００２３】
レベリング剤としては、ＤＥ  ３８  ３６  ５２１  Ｃ２に記載されているように、高分子窒素化合物（例えば、ポリアミンまたはポリアミド）または窒素含有硫黄化合物、例えばチオウレア誘導体またはラクタムアルコキシレートを用いることができる。使用される物質の濃度は、０．１〜１００ｐｐｍである。
【００２４】
さらに、特許ＤＥ  ４１  ２６  ５０２  Ｃ１に記載されているフェナゾニウム誘導体の重合体も用いることができる。ブラインドビアホールに充填するのに用いられるさらなる物質としては、マラカイト、ロザリニンまたはクリスタルバイオレットのごときアミノトリフェニルメタン構造に基づく着色剤が挙げられる。
【００２５】
アノードとしては、例えば、レドックス系（すなわち、例えばＦｅ２＋／３＋系）を用いないまたは用いる不活性アノードを用いることができる。鉄のレドックス系を用いる場合、鉄（ＩＩ）イオンの濃度は、一般に１〜１５ｇ／Ｌ、好ましくは８〜１２ｇ／Ｌであり、そして鉄（ＩＩＩ）イオンの濃度は、一般に１〜１５ｇ／Ｌ、好ましくは８〜１２ｇ／Ｌである。
酸性の銅のＤＣおよびＡＣ電解質には、可溶性アノードを用いることができる。
銅によるメタライゼーションを行っている間、銅は、スルーホールの内部だけでなく、基板の表面にも沈着する。必要に応じて、前記表面に沈着した銅の層を、プリント基板の製造において知られているエッチング処理を用いて再度取り除くことができる。
さらに、金属による充填は、パルス逆電流を用いた特殊なメタライゼーションを用いた水平処理においてとりわけ良好な結果が得られた。この特殊な技術は、２つの独立したパルス整流器によって生じる２つのパルス形状が１８０°シフトした位相であることを特徴とする。２つの整流器を用いることによって、プリント基板の両面を個別にメタライゼーションすることができる。さらなる特徴は、双方の整流器について反対側の面に同時に逆の電流パルスが作用するように選択される周期的なパルス−休止の繰り返しを選択することである（図３参照）。
【００２６】
逆パルスめっきは、とりわけ、アスペクト比の高いプリント基板への銅の電解析出のために開発されたものであり、例えば、ＤＥ  ４２  ２５  ９６１  Ｃ２およびＤＥ  ２７  ３９  ４２７  Ａ１に記載されている。高い電流密度を用いることによって、向上された表面分散性およびスルーホール内への分配性が得られる。
本発明の処理において、パラメーターは下記のように設定されることが好ましい。
少なくとも１つの逆方向電流パルスの継続時間に対する少なくとも１つの順方向電流パルスの継続時間の比は、少なくとも５、好ましくは少なくとも１５、さらに好ましくは少なくとも１８に設定される。この比は、７５以下、好ましくは５０以下に設定することができる。この比を約２０に設定することが特に好ましい。
少なくとも１つの順方向電流パルスの継続時間は、好ましくは少なくとも５〜２５０ｍｓに設定することができる。
少なくとも１つの逆方向電流パルスの継続時間は、好ましくは２０ｍｓ以下、最も好ましくは１〜１０ｍｓに設定される。
【００２７】
ワークピースにおける少なくとも１つの順方向電流パルスのピーク電流密度は、好ましくは１５Ａ／ｄｍ２以下に設定される。ワークピースにおける少なくとも１つの順方向電流パルスの特に好ましいピーク電流密度は、水平処理において、約１．５〜８Ａ／ｄｍ２である。垂直処理において、ワークピースにおける少なくとも１つの順方向電流パルスの最も好ましいピーク電流密度は、２Ａ／ｄｍ２以下である。
ワークピースにおける少なくとも１つの逆方向電流パルスのピーク電流密度は、好ましくは６０Ａ／ｄｍ２以下に調整される。ワークピースにおける少なくとも１つの逆方向電流パルスの特に好ましいピーク電流密度は、水平処理において、約３０〜５０Ａ／ｄｍ２である。垂直処理において、ワークピースにおける少なくとも１つの逆方向電流パルスの最も好ましいピーク電流密度は、３〜１０Ａ／ｄｍ２以下である。
【００２８】
本発明の好ましい実施態様において、本発明の処理は、下記工程、すなわち、
（ａ）第１電圧をワークピースの第１面と少なくとも第１アノードとの間に印加することによって第１パルス逆電流を前記ワークピースの第１面に供給する、この第１パルス逆電流の各サイクルにおいて、少なくとも第１順方向電流パルスと少なくとも第１逆方向電流パルスとが流れる工程と、
（ｂ）第２電圧を前記ワークピースの第２面と少なくとも第２アノードとの間に印加することによって第２パルス逆電流を前記ワークピースの第２面に供給する、この第２パルス逆電流の各サイクルにおいて、少なくとも第２順方向電流パルスと少なくとも第２逆方向電流パルスとが流れる工程と、
を含んでなる。
後者の実施態様について、少なくとも１つの第１順方向電流パルスおよび少なくとも１つの第１逆方向電流パルスは、それぞれ、少なくとも１つの第２順方向電流パルスおよび少なくとも１つの第２逆方向電流パルスのそれぞれに対してオフセットの関係であってもよい。本発明のさらに好ましい実施態様では、第１電流パルスと第２電流パルスの間のオフセットは約１８０°である。
【００２９】
分配状態をさらに向上させるために、各サイクルの電流は２つの順方向電流パルスを有していてもよい。この場合、２つの順方向電流パルスと逆方向電流パルスとの間には、電流ゼロの中断期間を有する。
メタライゼーション処理の進行中に、パルス逆電流の少なくとも１つのパラメーターを変量することができる。このパラメーターは、逆方向電流パルスの継続時間に対する順方向電流パルスの継続時間の比および逆方向電流パルスのピーク電流密度に対する順方向電流パルスのピーク電流密度の比からなる群から選択される。ワークピースをメタライゼーションするときに逆方向電流パルスのピーク電流密度に対する順方向電流パルスのピーク電流密度の比を高めることおよび／または逆方向電流パルスの継続時間に対する順方向電流パルスの継続時間の比を減らすことが特に有利であることが明らかになった。
【実施例】
【００３０】
本発明を下記実施例によってさらに説明する。
水平メタライゼーション処理
Ａｔｏｔｅｃｈ  Ｄｅｕｔｓｃｈｌａｎｄ  ＧｍｂＨ製のＩｎｐｕｌｓｅ２モジュールを使用したプリント基板の水平処理を行った（処理する基板は、移送面を水平にして水平方向に移動した）。ノズルホルダーとカソード（ワークピース）の間隙が１５ｍｍであり、アノードとカソードの間隙が８ｍｍであった。
メタライゼーションするに当たり、特に断りのない限りは、寸法が１８’×２４”＝４５７ｍｍ×６１０ｍｍであり、直径１５０μｍ、深さ２００μｍのスルーホールを有するＦＲ４素材のプリント基板を用いた。
メタライゼーションに先立ち、前記プリント基板の表面を、まずＡｔｏｔｅｃｈ  Ｄｅｕｔｓｃｈｌａｎｄ  ＧｍｂＨ社の洗浄剤Ｃｕｐｒａｐｒｏ  ＣＦで４５秒間洗浄し、その後、５％硫酸で４５秒間処理した。
【００３１】
使用した電解質は下記組成を有する。銅イオンおよび硫酸の濃度は、別々の試験で調べた。いずれの場合も、メタライゼーションは４０℃の温度で行った。
硫酸銅
硫酸
塩化物イオン：  ５０ｍｇ／Ｌ
鉄（ＩＩ）：  １０ｇ／Ｌ
鉄（ＩＩＩ）：  ２ｇ／Ｌ
レベリング剤ＩｎｐｕｌｓｅＨ６：  ４ｍｌ／Ｌ；  増白剤ＩｎｐｕｌｓｅＨ６：  ７ｍＬ／Ｌ
レベリング剤ＩｎｐｕｌｓｅＨＦ：  ４ｍｌ／Ｌ；  増白剤ＩｎｐｕｌｓｅＨＦ：  ７ｍＬ／Ｌ
Ｉｎｐｕｌｓｅレベリング剤および増白剤は、Ａｔｏｔｅｃｈ  Ｄｅｕｔｓｃｈｌａｎｄ  ＧｍｂＨの製品である。
【００３２】
実施例１
前述の一般的な水平処理の実施条件に従い、プリント基板を、まずＩｎｐｕｌｓｅ  Ｈ６を含有する銅による電解メタライゼーションのための浴中、第１表１ａに記載のパラメーターを用いたパルス逆電流処理を３０分間行った。図１ａに示されるようなスルーホール内の銅沈着が見られた。
次に、前記プリント基板を、Ｉｎｐｕｌｓｅ  ＨＦを含有する銅による電解メタライゼーションのためのもう１つの浴中第１表１ｂに記載のパラメーターを用いたパルス逆電流処理をさらに３０分間行った。図２に示されるようなスルーホール内の銅沈着が見られた。
そして、スルーホールを完全に充填した。スルーホール内に異物混入は見られなかった。
【００３３】
【表３】
2008513985.tif 000005
【００３４】
実施例２
前述の一般的な水平処理の実施条件に従い、プリント基板を、まずＩｎｐｕｌｓｅ  Ｈ６を含有する銅による電解メタライゼーションのための浴中、第２表２ａに記載のパラメーターを用いたパルス逆電流処理を３０分間行った。
【００３５】
次に、前記プリント基板を、Ｉｎｐｕｌｓｅ  ＨＦを含有する銅による電解メタライゼーションのためのもう１つの浴中、第２表２ｂに記載のパラメーターを用いたパルス逆電流処理をさらに３０分間行った。
【００３６】
そして、スルーホールを完全に充填した。スルーホール内に異物混入は見られなかった。
【００３７】
【表４】
2008513985.tif 000006
【００３８】
実施例３
前述の一般的な水平処理の実施条件に従い、プリント基板を、Ｉｎｐｕｌｓｅ  ＨＦを含有する銅による電解メタライゼーションのための浴中、第３表に記載のパラメーターを用いたパルス逆電流処理を６０分間行った。
そして、スルーホールを完全に充填した。スルーホール内に異物混入は見られなかった。
【００３９】
【表５】
2008513985.tif 000007
【００４０】
実施例４
前述の一般的な水平処理の実施条件に従い、直径２００μｍ、深さ３００μｍのスルーホールを有するプリント基板を、まずＩｎｐｕｌｓｅ  Ｈ６を含有する銅による電解メタライゼーションのための浴中、第４表４ａに記載のパラメーターを用いたパルス逆電流処理を３０分間行った。
次に、前記プリント基板を、Ｉｎｐｕｌｓｅ  ＨＦを含有する銅による電解メタライゼーションのためのもう１つの浴中、第４表４ｂに記載のパラメーターを用いたパルス逆電流処理をさらに３０分間行った。
そして、スルーホールを完全に充填した。スルーホール内に異物混入は見られなかった。
【００４１】
【表６】
2008513985.tif 000008
【００４２】
すべての試験において、パルスパラメーターのパルス間隔を調節し、１８０°の位相シフトに設定した。これは、アノードの試験基板の片面に逆方向パルスが印加される一方で、同時にアノードの反対面はパルスの休止時間にあたっていたことを意味する。図３のパルス形状の概略図（時間の関数としての電流）は、上部および下部アノードの間の位相シフトを示す（上の曲線：カソードの上面における電流、下の曲線：カソードの下面における電流）。
【００４３】
垂直メタライゼーション処理
垂直メタライゼーションを行うに当たり、寸法が１８”×２４”＝４５７ｍｍ×６１０ｍｍであり、直径１５０μｍ、深さ２００μｍのスルーホールを有するＦＲ４素材でできたプリント基板を用いた。
メタライゼーションに先立ち、前記プリント基板の表面を、まずＡｔｏｔｅｃｈ  Ｄｅｕｔｓｃｈｌａｎｄ  ＧｍｂＨ製の酸性洗浄剤Ｓで３分間洗浄し、その後、５％硫酸で６０秒間処理した。
使用した電解質は下記組成を有する。銅イオンおよび硫酸の濃度は、別々の試験で調べた。いずれの場合も、メタライゼーションは２３℃の温度で行った。
硫酸銅
硫酸
塩化物イオン：  第１工程では６０ｍｇ／Ｌ、第２工程では３５ｍｇ／Ｌ
レベリング剤Ｃｕｐｒａｐｕｌｓｅ  ＸＰ７：  ２０ｍｌ／Ｌ；  増白剤Ｃｕｐｒａｐｕｌｓｅ  Ｓ３：  １ｍＬ／Ｌ
レベリング剤Ｉｎｐｌａｔｅ  ＤＩ：  １５ｍＬ／Ｌ；  増白剤Ｉｎｐｌａｔｅ  ＤＩ：  ０．５ｍＬ／Ｌ
ＣｕｐｒａｐｕｌｓｅおよびＩｎｐｌａｔｅレベリング剤および増白剤は、Ａｔｏｔｅｃｈ  Ｄｅｕｔｓｃｈｌａｎｄ  ＧｍｂＨの製品である。
レドックス系は、下記組成を用いて、第２工程でのみ用いた。
鉄（ＩＩ）：  ５ｇ／Ｌ
鉄（ＩＩＩ）：  １ｇ／Ｌ
【００４４】
実施例５
上述の一般的な垂直処理の実施条件に従い、プリント基板を、まずＣｕｐｒａｐｕｌｓｅ  ＸＰ７を含有する銅による電解メタライゼーションのための浴中、第５表５ａに記載のパラメーターを用いたパルス逆電流処理を９０分間行った。次に、第２工程において、前記プリント基板を、Ｉｎｐｌａｔｅ  ＤＩを含有する銅による電解メタライゼーションのための浴中、第５表５ｂに記載のパラメーターを用いた直流処理をさらに８５分間行った。そして、スルーホールを完全に充填した。スルーホール内に異物混入は見られなかった。
【００４５】
【表７】
2008513985.tif 000009
【００４６】
実施例６
前述の一般的な垂直処理の実施条件に従い、プリント基板を、まずＣｕｐｒａｐｕｌｓｅ  ＸＰ７を含有する銅による電解メタライゼーションのための浴中、第６表６ａに記載のパラメーターを用いたパルス逆電流処理を９０分間行った。次に、第２工程において、前記プリント基板を、Ｉｎｐｌａｔｅ  ＤＩを含有する銅による電解メタライゼーションのための浴中、第６表６ｂに記載のパラメーターを用いた直流処理をさらに８５分間行った。そして、スルーホールを完全に充填した。スルーホール内に異物混入は見られなかった。
【００４７】
【表８】
2008513985.tif 000010
【００４８】
実施例７
前述の一般的な垂直処理の実施条件に従い、プリント基板を、まずＣｕｐｒａｐｕｌｓｅ  ＸＰ７を含有する銅による電解メタライゼーションのための浴中、第７表７ａに記載のパラメーターを用いたパルス逆電流処理を９０分間行った。次に、第２工程において、前記プリント基板を、Ｉｎｐｌａｔｅ  ＤＩを含有する銅による電解メタライゼーションのための浴中、第７表７ｂに記載のパラメーターを用いた直流処理をさらに８５分間行った。そして、スルーホールを充填した。スルーホール内に異物混入は見られなかった。
【００４９】
【表９】
2008513985.tif 000011
【図面の簡単な説明】
【００５０】
【図１】図１ａは好ましい銅めっきによる、プリント基板のスルーホールの中央部における狭い部分の形成を示す図である。図１ｂは好ましい銅めっきによる、プリント基板のスルーホールの中央部における狭い部分の形成を示す図である。
【図２】図２はスルーホールの中央部に狭い部分を形成した後、ホールに充填を施した後のスルーホールを示す図である。
【図３】図３は位相シフトおよびパルス休止時間を伴うパルス逆電流を示す図である。
【図１】
2008513985.tif 000012
【図２】
2008513985.tif 000013
【図３】
2008513985.tif 000014
【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
ワークピースのスルーホールに金属を充填するための電気処理であって、下記工程、すなわち、
（ｉ）スルーホールを有するワークピースを金属沈着電解質に接触させ、前記ワークピースと少なくとも１つのアノードとの間に電圧を印加することによって前記ワークピースに電流を印加する工程であって、前記電流を沈着が前記スルーホールの中央部に生じるように選択することによって前記スルーホールの中央部を埋める工程と、
（ｉｉ）前記ワークピースを金属沈着電解質に接触させ、前記ワークピースと少なくとも１つのアノードとの間に電圧を印加することによって前記ワークピースに電流を供給する工程であって、工程（ｉ）で得られた二つに分けられたスルーホールに金属を充填する工程と、
を含んでなり、
前記工程（ｉ）における電流はパルス逆電流であり、前記電流の各サイクルにおいて、少なくとも１つの順方向電流パルスと少なくとも１つの逆方向電流パルスとが生じ、前記工程（ｉｉ）における電流はパルス逆電流、直流または交流であり、そして
前記少なくとも１つの逆方向電流パルスの継続時間に対する前記少なくとも１つの順方向電流パルスの継続時間の比を５〜７５に設定する、
前記電気処理。
【請求項２】
前記メタライゼーション工程（ｉ）および（ｉｉ）は異なる電解質中で行われる、請求項１に記載の処理。
【請求項３】
前記メタライゼーション工程（ｉ）および（ｉｉ）は同じ電解質中で行われる、請求項１に記載の処理。
【請求項４】
前記少なくとも１つの順方向電流パルスの継続時間を、５〜２５０ｍｓに設定する、請求項１ないし５のいずれかに記載の処理。
【請求項５】
前記少なくとも１つの逆方向電流パルスの継続時間を、好ましくは２０ｍｓ以下に設定する、請求項１ないし６のいずれかに記載の処理。
【請求項６】
前記ワークピースにおける前記少なくとも１つの順方向電流パルスのピーク電流密度を水平処理の場合１５Ａ／ｄｍ２以下、垂直処理の場合２Ａ／ｄｍ２に設定する、請求項１ないし５のいずれかに記載の処理。
【請求項７】
前記ワークピースにおける前記少なくとも１つの逆方向電流パルスのピーク電流密度を、水平処理の場合６０Ａ／ｄｍ２以下、垂直処理の場合３〜１０Ａ／ｄｍ２に設定する、請求項１ないし６のいずれかに記載の処理。
【請求項８】
前記ワークピースの第１面と少なくとも第１アノードとの間に第１電圧を印加することによって第１パルス逆電流が前記ワークピースの第１面に供給され、この第１パルス逆電流の各サイクルにおいて、少なくとも第１順方向電流パルスと少なくとも第１逆方向電流パルスとが流れ、
前記ワークピースの第２面と少なくとも第２アノードとの間に第２電圧を印加することによって第２パルス逆電流が前記ワークピースの第２側面に供給され、この第２パルス逆電流の各サイクルにおいて、少なくとも第２順方向電流パルスと少なくとも第２逆方向電流パルスとが流れる、請求項１ないし７のいずれかに記載の処理。
【請求項９】
前記第１電流パルスは、前記第２電流パルスに対して１８０°のオフセットである、請求項８に記載の処理。
【請求項１０】
電解質として硫酸銅電解質が用いられる、請求項１ないし９のいずれかに記載の処理。
【請求項１１】
前記電解質は、１５〜７５ｇ／Ｌの銅と、２０〜４００ｇ／Ｌの硫酸と、２０〜２００ｍｇ／Ｌの塩化物とを含有する無機基質を含んでなる、請求項１に記載の処理。
【請求項１２】
前記電解質は、増白剤、レべリング剤および湿潤剤のごとき有機添加剤をさらに含んでなる、請求項１１に記載の処理。
【請求項１３】
前記電解質は、レドックス系を用いた不活性アノードを用いて運転される、請求項１ないし１２のいずれかに記載の処理。
【請求項１４】
電解質として硫酸銅電解質が用いられ、アノードとして可溶性アノードが用いられる、請求項１ないし１３のいずれかに記載の処理。
【請求項１５】
前記スルーホールの最大深さは０．０５〜０．５ｍｍである、請求項１ないし１４のいずれかに記載の処理。
【請求項１６】
前記スルーホールの直径は６０〜１５０μｍである、請求項１ないし１５のいずれかに記載の処理。
【請求項１７】
前記ワークピースは板状であり、かつ、スルーホールを有する、請求項１ないし１６のいずれかに記載の処理。
【請求項１８】
前記ワークピースはプリント基板または任意の他の板状電気回路基体である、請求項１ないし１７のいずれかに記載の処理。
【国際調査報告】
2008513985.tif 000015
2008513985.tif 000016
2008513985.tif 000017